(57)【要約】      （修正有）【課題】バレルの重心位置を飛行中に変化させてダーツの飛行軌跡を直線に近づける。【解決手段】筒内空間を前後に隔てる隔壁１２を有する金属製の円筒状バレル本体１１と、隔壁より後端側の有底円筒空間１５内を摺動する金属製球体１７と、コイルスプリング１８と、有底円筒空間の入口部内壁に設けられた雌ねじ１４に螺合して前後進するスプリング押さえ１９とから構成する。バレル本体の円筒状空間内に球体とコイルスプリングとを順に挿入した後、スプリング押さえを螺合前進させ、コイルスプリングが球体を有底円筒空間の底である隔壁に押し付け付勢した状態になる位置にて停止させた構成とする。【選択図】図１
0003139388.tif 000002
【実用新案登録請求の範囲】
【請求項１】
外観円筒状で前端にティップ、後端にフライト付シャフトを螺合連結して使用するダーツ用バレルであって、
筒内空間を前後に隔てる隔壁を有する金属製の円筒状バレル本体と、前記隔壁より後端側の有底円筒空間内を摺動する金属製球体と、コイルスプリングと、前記有底円筒空間の入口部内壁に設けられた雌ねじに螺合して前後進するスプリング押さえとからなり、
前記有底円筒空間内に前記球体とコイルスプリングとを順に挿入した後、前記スプリング押さえを螺合前進させて前記コイルスプリングが前記球体を前記有底円筒空間の底である隔壁に押し付け付勢した状態になる位置にて停止させた構成を有することを特徴とするダーツ用バレル。
【請求項２】
外観円筒状で前端にティップ、後端にフライト付シャフトを螺合連結して使用するダーツ用バレルであって、
筒内壁に雌ねじが設けられた金属製の円筒状バレル本体と、該バレル本体内にあって外周壁面に前記雌ねじに螺合する雄ねじを有し底を前端側にしてバレル本体内を前後進する有底円筒状体と、該有底円筒状体内を摺動する金属製球体と、コイルスプリングと、前記バレル本体の内壁に設けられた雌ねじに螺合して前後進するスプリング押さえとからなり、
前記有底円筒状体内に球体とコイルスプリングとを順に挿入した後、前記スプリング押さえを後端側から螺合前進させて前記コイルスプリングが前記球体を前記有底円筒状体の底に押し付け付勢した状態になる位置にて停止させた構成を有することを特徴とするダーツ用バレル。
【考案の詳細な説明】
【技術分野】
【０００１】
本考案は、壁などに用意された的にダーツ（矢）をあてて得点を競うダーツゲームやダーツ競技に用いられるダーツの主要構成部品であるバレルに関する。
【背景技術】
【０００２】
ダーツは、壁などに用意された的に矢をあてて得点を競う英国生まれのスポーツである。同時にダーツという言葉は、このスポーツで用いられる矢自体をも意味する。以後、本明細書においては、ダーツはこの矢自体を指すものとして説明する
【０００３】
図６は、一般的なダーツ１の構成を縦断面図で示したものである。ダーツ１は先端側から、ティップ（ポイント）２、バレル３、シャフト４、フライト５の４個の部品で構成されている。ティップ２は的に突き刺さる部分で金属又はプラスチック製である。フライト５は羽根で、飛行安定性に寄与する。シャフト４はフライト５を取り付けるための部品であり、プラスチック製である。
【０００４】
バレル３は、ダーツ１の本体部分であり一番重要な部品である。競技者はこの部分を手でもってダーツ１を投げる。バレル３は円柱状で、先端側にはティップ２を螺合取り付けするための雌ねじ７が、後端側にはシャフト４を螺合取り付けするための雌ねじ８が形成されている。ダーツ１の飛行安定性、直進飛行性には、ダーツ１の全体重量、重心位置、シャフト４の長さ、フライト５の大きさ等が微妙に関係する。
【０００５】
バレル３については、その重量、重心位置が重視される。一般に細くて重いものが好まれるため、比重の高いタングステンやニッケルで製作される。重心位置は、先後端部の雌ねじ７、８の孔の深さを変えることで調整できる。しかし、この方法では製作後に重心位置を調整することはできない。製作後にも重心位置を調整できるようにするため、バレルを筒状に形成し、錘をその内部の任意位置へ着脱可能に装填できるようにものが提案されている（特許文献１参照）。これら従来のバレルは、何れも飛行中に重心が変化することはない。
【特許文献１】特開２００７−２０２８９３号公報
【考案の開示】
【考案が解決しようとする課題】
【０００６】
本願の考案者は、バレルの重心位置が飛行安定性、飛行直進性に与える影響を多数の試作、実験を繰り返して研究した。そしてバレルの重心位置を飛行中に変化させると、バレルの飛行安定性、飛行直進性を向上させられることを発見した。本考案は、そうした研究の成果としての飛行中に重心位置を変化させることのできるバレルを提供することにある。
【課題を解決するための手段】
【０００７】
前記課題を解決するための請求項１に記載の考案は、外観円筒状で前端にティップ、後端にフライト付シャフトを螺合連結して使用するダーツ用バレルであって、筒内空間を前後に隔てる隔壁を有する金属製の円筒状バレル本体と、隔壁より後端側の有底円筒空間内を摺動する金属製球体と、コイルスプリングと、有底円筒空間の入口部内壁に設けられた雌ねじに螺合して前後進するスプリング押さえとからなり、有底円筒空間内に球体とコイルスプリングとを順に挿入した後、スプリング押さえを螺合前進させてコイルスプリングが球体を有底円筒空間の底である隔壁に押し付け付勢した状態になる位置にて停止させた構成を有することを特徴とするダーツ用バレルである。
【０００８】
このような構成によれば、バレルが競技者の手から離れる瞬間には、コイルスプリングが球体の慣性により圧縮されて縮んだ状態になるため、球体は円筒状体の後端に位置する。飛行状態に移ると、球体はコイルスプリングにより押し出されて前端側に摺動する。球体の前進移動によりダーツの重心は前方向に移動する。前進していった球体はやがて隔壁に衝突して停止する。衝突により、球体は保有していた運動量をバレルに与え、バレルの速度を僅かに上昇させる。このような重心移動と球体の衝突による僅かな速度上昇により、ダーツの飛行軌跡は従来の重心固定型ダーツに比べて直線性が増し、狙った個所に命中し易くなる効果を奏する。
【０００９】
また、請求項２に記載の考案は、外観円筒状で前端にティップ、後端にフライト付シャフトを螺合連結して使用するダーツ用バレルであって、筒内壁に雌ねじが設けられた金属製の円筒状バレル本体と、該バレル本体内にあって外周壁面に前記雌ねじに螺合する雄ねじを有し底を前端側にしてバレル本体内を前後進する有底円筒状体と、該有底円筒状体内を摺動する金属製球体と、コイルスプリングと、バレル本体の内壁に設けられた雌ねじに螺合して前後進するスプリング押さえとからなり、
有底円筒状体内に球体とコイルスプリングとを順に挿入した後、スプリング押さえを後端側から螺合前進させてコイルスプリングが球体を有底円筒状体の底に押し付け付勢した状態になる位置にて停止させた構成を有することを特徴とするダーツ用バレルである。
【００１０】
このような構成のバレルは、請求項１に記載のバレルと同様の効果を奏することに加え、有底円筒状体の停止位置を変えることでダーツの静止状態での重心位置を調整することができる利点を有する。
【考案を実施するための最良の形態】
【００１１】
以下、本考案に係るダーツ用バレルの構成例を実施形態に分けて説明する。
（第１の実施形態）
図１は、本実施形態に係るバレル１０の断面図である。バレル１０は本体部１１、球体１７、コイルスプリング１８、スプリング押さえ１９の４部品により構成されている。本体部１１は、タングステン、ニッケル等の金属材料を用いて円筒状に形成されている。但し、円筒内側は貫通孔ではなく、筒内には筒空間を前後に隔てる隔壁１２が設けられている。前端側（飛ぶ方向側）から隔壁１２までの有底円筒空間の内壁には、ティップを螺合取り付けするための雌ねじ１３が形成されている。
【００１２】
後端側の円筒空間の入口部内壁には、シャフトを螺合取り付けするための雌ねじ１４が形成されおり、その雌ねじ孔部と隔壁１２との間には円筒状空間１５が形成されている。即ち、円筒状空間１５は隔壁１２を底とする有底円筒状になっている。円筒状空間１５内には、該空間内を前後に摺動可能な球体１７と、その球体１７を隔壁１２側に付勢するコイルスプリング１８が挿入されている。
【００１３】
コイルスプリング１８に働く反力は、スプリング押さえ１９が受け止める。スプリング押さえ１９は雄ねじ状をなしており、シャフト取り付け用の雌ねじ１４に螺合して前後進する。スプリング押さえ１９の頭部にはドライバーを使用して回転させるためのドライバー溝２０が形成してある。スプリング押さえ１９を最奥部まで前進させた状態では、コイルスプリング１８が球体１７を弱い力で隔壁１２に押し付けた状態になるようにコイルスプリング１８の長さが調整してある。
【００１４】
次に、このような構成のバレル１０の作用について説明する。使用に際してはバレル１０の前端側にティップを螺合取り付けし、後端側にはフライトを取り付けたシャフトを螺合取り付けしてダーツとする。そして、バレル１０部分を手に持ち、的に向かって投げる。図２はバレル１０が手を離れた瞬間からのバレル１０内の状態を時間を追って示したものである。図２の（１）はバレル１０が手を離れた瞬間の状態、（２）、（３）は飛行中の状態である。
【００１５】
ダーツを投げる場合、競技者はダーツを後方に引いた状態から前方に急速に移動させて放つ。手の移動によってバレル１０は前方に向けた大きな力を受ける。この力によりバレル１０は大きな加速度を得て速度を増し、手から離れる。手から離れた後は空気の抵抗を無視すれば、水平方向へは手を離れた瞬間の水平初速度でもって飛行する。
【００１６】
一方、球体１７は投げる際にコイルスプリング１８を介してスプリング押さえ１９から前進方向の力を受ける。球体１７は質量を有するためコイルスプリング１８には反力としての慣性力（慣性抵抗）が働く。コイルスプリング１８のばね定数は小さくしてあるのでこの慣性力を受けてコイルスプリング１８は縮み、球体１７は図２の（１）に示すように最後部に後退した状態になる。バレル１０が手を離れた瞬間からバレル１０に働く水平方向の加速度はゼロとなり、バレル１０の本体部１１を介してスプリング押さえ１９に加えられていた前進方向の力もゼロとなる。スプリング押さえ１９の前進加速度に起因して球体１７に生じていた慣性力（慣性抵抗）もゼロになる。
【００１７】
コイルスプリング１８は図２の（１）に示すように圧縮された状態にある。圧縮されたコイルスプリング１８は、圧縮されていない状態からの変位量にばね定数を掛けた値の力を球体１７とスプリング押さえ１９に加える。スプリング押さえ１９に働く力はバレル１０の前進速度を落とす方向に働く。しかし、バレル１０と連結されている本体部１１の質量が球体１７の質量に比べて大きいため速度低下は僅かである。
【００１８】
球体１７は質量が小さいためコイルスプリング１８から受ける力で加速度を得て前進速度が高まる。即ち、球体１７の前進速度はバレル１０の前進速度より高くなる。これにより球体１７は円筒状空間１５内を図２の（２）、（３）に示すように前端方向に摺動していく。
【００１９】
このような円筒状空間１５内における球体１７の前進移動は、次のような作用をもたらす。第１にバレル１０、ひいてはダーツの重心を飛行中に前端方向に移動させる。第２に、前進していった球体１７は図２の（３）のように隔壁１２に衝突する。衝突すると球体１７の前進速度はバレル１０の速度と一致する。その際、球体１７はバレル１０との速度差分の運動量をバレル１０に与える。運動量が与えられることによりバレル１０の前進速度は僅かに上昇する。
【００２０】
本願考案者は、飛行中におけるこのようなバレル１０の重心の前移動と球体１７の衝突によるバレル１０の前進速度の僅かな上昇が飛行特性に与える影響を実験により検証した。実験は図３に示すように、Ａ点から同じ初速度で投げたダーツが的３０の中央Ｂ点に刺さるまでの軌跡を比較することにより行なった。その結果、球体１７を図２の（１）に示す位置に固定したダーツは曲線３１のように山なりの弧を描いて飛ぶのに対して、球体１７が飛行中に移動する本実施形態のダーツでは、飛行軌跡が曲線３２のように弧の曲線が緩やかとなりより直線的に飛ぶことを確認した。このため、本実施形態のダーツは、従来の重心固定型ダーツに比べて狙った個所に命中させやすいことが判明した。
【００２１】
本実施形態のダーツの飛行軌跡がこのように直線に近づくことの理由は定かではないが、およそ次のように考えられる。第１の理由として、球体１７の前進による重心の前移動は、バレル１０の後端側に取り付けたシャフトの長さが飛行中に長くなるのと同様の効果を奏すること。第２の理由として、ダーツが手から離れた瞬間にバレル１０と球体１７の持つ運動エネルギーと運動量は従来型も本実施形態型も同じである。しかし、本実施形態型のダーツでは、手から離れた瞬間にはコイルスプリング１８が圧縮されており、スプリングのばね定数をＫ、変位量をｘとすると、（１／２）Ｋｘ2だけの位置エネルギーがコイルスプリング１８に余分に蓄えられている。この位置エネルギーが飛行中に放出されることにより球体１７が前端側に摺動し、隔壁１２に衝突した瞬間にその運動エネルギーと、バレル１０との速度差分の運動量とをバレル１０に与える。これによりバレル１０の速度は、飛行途中において僅かに上昇する。その結果、本実施形態型のダーツは従来型と同じ初速度で投げたとしても、的に達するまでの平均速度が僅かに高くなる。こうした２つの効果が相まって、ダーツの飛行軌跡を直線に近づける作用をなしていると考えられる。
【００２２】
（第２の実施形態）
図４は、第２の実施形態に係るバレル１０ａの断面図である。図１に示した第１の実施形態に係るバレル１０では隔壁１２の位置は固定であった。本実施形態のバレル１０ａは隔壁１２の位置を動かせるようにしてバレル１０ａの静止時の重心位置を調整できるような構成にしてある。
【００２３】
具体的には隔壁１２と、球体１７が摺動する円筒状空間１５の周壁部分とを一体化して隔壁１２を底とする有底円筒状体３３が形成してある。そして、有底円筒状体３３の外周壁部に雄ねじ３４を形成し、バレル１０ａの本体部１１の貫通孔３６内壁には雌ねじ３５を形成し、両者を螺合させて有底円筒状体３３を貫通孔３６内の任意の位置に停止させられるようにしてある。有底円筒状体３３の底面裏側にはドライバーを使用して回転させるためのドライバー溝３８が形成してある。有底円筒状体３３内への球体１７とコイルスプリング１８の挿入、スプリング押さえ１９の取り付けは第１の実施形態に係るバレル１０と同様にして行なう。
【００２４】
図５の（１）はバレル１０ａが競技者の手を離れた瞬間の状態、（２）、（３）は飛行中の状態である。球体１７は第１の実施形態のバレル１０と同じように摺動する。従って、第１の実施形態のバレル１０と同じように作用し、同じような効果が得られる。第１の実施形態のバレル１０に比べた利点は有底円筒状体３３をバレル１０ａの貫通孔３６内の任意の位置に停止させられる点であり、それにより静止状態でのバレル１０ａの重心位置を任意で調整できる効果が得られる。
【図面の簡単な説明】
【００２５】
【図１】第１の実施形態に係るバレル１０の断面図である。
【図２】飛行中のバレル１０内の球体１７の移動を説明する断面図である。
【図３】本発明に係るダーツと従来のダーツとの飛行軌跡の比較例である。
【図４】第２の実施形態に係るバレル１０ａの断面図である。
【図５】飛行中のバレル１０ａ内の球体１７の移動を説明する断面図である。
【図６】従来のダーツ１の構成を示す断面図である。
【符号の説明】
【００２６】
図面中、１はダーツ、２はティップ、３、１０、１０ａはバレル、４はシャフト、５はフライト、１１はバレル本体、１２は隔壁、１５は円筒状空間、１７は球体、１８コイルスプリング、１９はスプリング押さえ、３３は有底円筒状体、３５はねじ山を示す。
【図１】
0003139388.tif 000003
【図２】
0003139388.tif 000004
【図３】
0003139388.tif 000005
【図４】
0003139388.tif 000006
【図５】
0003139388.tif 000007
【図６】
0003139388.tif 000008